(57)【要約】【課題】計器における各部品の組付性の向上を図った計器組付構造を提供すること。【解決手段】表示器１０と、目盛板８４と、表示器１０および目盛板８４を支持するケース１２を備える計器において、ケース１２は、開口部１２ａと、該開口部１２ａの開口方向に対してほぼ直交する方向から該開口部１２ａ内に連通するように形成された挿入口１２ｃとを有し、表示器１０は、挿入口１２ｃに挿入され、その表示画面が開口部１２ａ中に位置しかつ開口部１２ａの開口方向に向かうようにケース１２で支持され、目盛板８４は、その外周側に形成され、指針６により指示される目盛を表示するためのメータ意匠８４ｂと、メータ意匠８４ｂより内側に形成された開口部８４ａとを有し、表示器１０の前面側において開口部８４ａの内周が表示器１０の表示画面を取り囲むように、ケース１２で支持される。【選択図】図１１
2006098160.tif 000002
【特許請求の範囲】
【請求項１】
表示器と、目盛板と、前記表示器および前記目盛板を支持するケースを備える計器において、
前記ケースは、開口部と、該開口部の開口方向に対してほぼ直交する方向から該開口部内に連通するように形成された挿入口とを有し、
前記表示器は、前記挿入口に挿入され、その表示画面が前記開口部中に位置しかつ前記開口部の開口方向に向かうように前記ケースで支持され、
前記目盛板は、その外周側に形成され、指針により指示される目盛を表示するためのメータ意匠と、前記メータ意匠より内側に形成された開口部とを有し、前記表示器の前面側において前記開口部の内周が前記表示器の表示画面を取り囲むように、前記ケースで支持される
ことを特徴とする計器組付構造。
【請求項２】
表示器と、目盛板と、前記目盛板の目盛を指示する指針と、前記表示器および前記目盛板を支持するケースとを備える計器において、
前記指針は、ムーブメントの回転軸に取り付けられる基部と、該基部より前記回転軸とほぼ直交する方向へ延出する第１指針部、該第１指針部より前記回転軸とほぼ平行な方向に延出する第２指針部、該第２指針部より前記第１指針部と逆方向に延出する第３指針部、該第３指針部より前記第２指針部とほぼ同一方向に延出する第４指針部、および該第４指針部より前記第１指針部とほぼ同一方向に延出し、前記目盛板の前記目盛を指示する第５指針部を有する指針部とを含み、
前記ケースは、開口部と、該開口部の開口方向に対してほぼ直交する方向から該開口部内に連通するように形成された挿入口とを有し、
前記表示器は、前記挿入口に挿入され、前記指針の前記第１指針部および前記第３指針部の間に位置すると共に、その表示画面が前記開口部中に位置しかつ前記開口部の開口方向に向かうように前記ケースで支持され、
前記目盛板は、その外周側に形成され、指針により指示される目盛を表示するためのメータ意匠と、前記メータ意匠より内側に形成された開口部とを有し、前記指針の前記第３指針部および第５指針部の間に位置すると共に前記表示器の前面側において前記開口部の内周が前記表示器の表示画面を取り囲むように、前記ケースで支持される
ことを特徴とする計器組付構造。
【請求項３】
請求項１または２記載の計器組付構造において、
前記挿入口の内壁の一部と同一平面をなす表面を有し、前記開口部の内壁より突出する支持片が設けられており、
前記表示器は、前記挿入口に挿入されたとき、前記表示画面側の表面が前記支持片の表面をスライドしながら前記開口部中へ移動する
ことを特徴とする計器組付構造。
【請求項４】
請求項３記載の計器組付構造において、
前記表示器の前記表示画面側の表面と反対の裏面より突出する係合片が設けられ、
前記挿入口の内壁の一部に、前記係合片が係合する係合部が設けられており、
前記表示器は、前記挿入口に挿入されたとき、前記係合片が前記係合部に係合しながら前記開口部中へ移動する
ことを特徴とする計器組付構造。
【請求項５】
請求項４記載の計器組付構造において、
前記表示器は、前記挿入口に挿入され、前記指針の前記第１指針部および前記第３指針部の間に位置しかつ前記表示画面が前記開口部中に位置する場所まで移動したときに、前記ケースの止め部に当接して移動を停止させるを有する
ことを特徴とする計器組付構造。
【請求項６】
請求項５記載の計器組付構造において、
前記表示器は、前記ストッパによる移動停止時に、前記ケースに設けられた係合溝に係合される係合爪を有する
ことを特徴とする計器組付構造。
【請求項７】
請求項１から６のいずれか１項に記載の計器組付構造において、
前記ケースには、前記開口部の端面に沿って案内壁が立設されており、
前記目盛板は、前記ケースへの組み付け時、まず前記指針の前記第５指針部が前記目盛板の開口部内に入るように、前記ケースの開口部の端面上に置かれ、次いで前記案内壁に案内されて前記端面上をスライドして移動され、前記指針の前記第３指針部および第５指針部の間に位置するように、前記開口部の端面で支持される
ことを特徴とする計器組付構造。
【請求項８】
請求項７記載の計器組付構造において、
前記ケースには、前記目盛板が、組み付け時、前記指針の前記第５指針部が前記目盛板の開口部内に入るように前記ケースの開口部の端面上に置かれる際の位置決めを行う位置決め部が設けられている
ことを特徴とする計器組付構造。
【発明の詳細な説明】
【技術分野】
【０００１】
本発明は、計器組付構造に関し、特に自動車用計器の組み立てに好適な計器組付構造に関する。
【背景技術】
【０００２】
従来、表示器と、計測量を表す目盛を有し表示器の前面側に配置される目盛板と、計測量に応じて目盛を指示する指針と、表示器および目盛板を支持するケースとを備える計器は、たとえば、実開平１−６７５２３号公報（特許文献１）や独国公開特許公報Ｎｏ．４３２１１４６（特許文献２）に開示されている。
【０００３】
図１５は、実開平１−６７５２３号公報に開示されている従来の計器構成の一例を示す図である。計器は、目盛板４１の中央部に蛍光表示管からなる表示器４２を配置し、その周囲に設けられたタコメータの目盛、数字等の指標４３を指針４４で指示するように構成されている。
【０００４】
図１６は、独国公開特許公報Ｎｏ．４３２１１４６に開示されている従来の計器構成の他の例を示す図である。計器は、目盛板５１の中央部にフラットディスプレイからなる表示器５２を配置し、その周囲に設けられた目盛５３を、ほぼ円弧状のスリット５５に沿って移動する指針５４で指示するように構成されている。
【特許文献１】実開平１−６７５２３号公報
【特許文献２】独国公開特許公報Ｎｏ．４３２１１４６
【発明の開示】
【発明が解決しようとする課題】
【０００５】
このように、デジタル表示等を行う表示器の周囲に、指針による指示を行うアナログ表示式目盛板構造を配置した場合、目盛板の表示面まで迂回したコの字やＳ字状の形状にした指針が必要となる。このため、計器の各部品の組み付けの際は、表示器、目盛板および指針が、互いに干渉しないようにした組付構造が必要となる。
【０００６】
また、図１６の計器では、指針５４を第１指針部５４ａと第２指針部５４ｂに分けて二体化しなければならず、組付性が良くない。また、このような構造をとらないと、目盛板５１を斜めから挿入する等、組み付けは困難なものとなる。さらに、この構造では、指針５４の打ち込み等の受けが問題となる。
【０００７】
本発明は、上述した従来の問題点に鑑み、計器における各部品の組付性の向上を図った計器組付構造を提供することを目的としている。
【課題を解決するための手段】
【０００８】
請求項１記載の発明は、表示器と、目盛板と、前記表示器および前記目盛板を支持するケースを備える計器において、前記ケースは、開口部と、該開口部の開口方向に対してほぼ直交する方向から該開口部内に連通するように形成された挿入口とを有し、前記表示器は、前記挿入口に挿入され、その表示画面が前記開口部中に位置しかつ前記開口部の開口方向に向かうように前記ケースで支持され、前記目盛板は、その外周側に形成され、指針により指示される目盛を表示するためのメータ意匠と、前記メータ意匠より内側に形成された開口部とを有し、前記表示器の前面側において前記開口部の内周が前記表示器の表示画面を取り囲むように、前記ケースで支持されることを特徴とする。
【０００９】
請求項２記載の発明は、表示器と、目盛板と、前記目盛板の目盛を指示する指針と、前記表示器および前記目盛板を支持するケースとを備える計器において、前記指針は、ムーブメントの回転軸に取り付けられる基部と、該基部より前記回転軸とほぼ直交する方向へ延出する第１指針部、該第１指針部より前記回転軸とほぼ平行な方向に延出する第２指針部、該第２指針部より前記第１指針部と逆方向に延出する第３指針部、該第３指針部より前記第２指針部とほぼ同一方向に延出する第４指針部、および該第４指針部より前記第１指針部とほぼ同一方向に延出し、前記目盛板の前記目盛を指示する第５指針部を有する指針部とを含み、前記ケースは、開口部と、該開口部の開口方向に対してほぼ直交する方向から該開口部内に連通するように形成された挿入口とを有し、前記表示器は、前記挿入口に挿入され、前記指針の前記第１指針部および前記第３指針部の間に位置すると共に、その表示画面が前記開口部中に位置しかつ前記開口部の開口方向に向かうように前記ケースで支持され、前記目盛板は、その外周側に形成され、指針により指示される目盛を表示するためのメータ意匠と、前記メータ意匠より内側に形成された開口部とを有し、前記指針の前記第３指針部および第５指針部の間に位置すると共に前記表示器の前面側において前記開口部の内周が前記表示器の表示画面を取り囲むように、前記ケースで支持されることを特徴とする。
【００１０】
請求項３記載の発明は、請求項１または２記載の計器組付構造において、前記挿入口の内壁の一部と同一平面をなす表面を有し、前記開口部の内壁より突出する支持片が設けられており、前記表示器は、前記挿入口に挿入されたとき、前記表示画面側の表面が前記支持片の表面をスライドしながら前記開口部中へ移動することを特徴とする。
【００１１】
請求項４記載の発明は、請求項３記載の計器組付構造において、前記表示器の前記表示画面側の表面と反対の裏面より突出する係合片が設けられ、前記挿入口の内壁の一部に、前記係合片が係合する係合部が設けられており、前記表示器は、前記挿入口に挿入されたとき、前記係合片が前記係合部に係合しながら前記開口部中へ移動することを特徴とする。
【００１２】
請求項５記載の発明は、請求項４記載の計器組付構造において、前記表示器は、前記挿入口に挿入され、前記指針の前記第１指針部および前記第３指針部の間に位置しかつ前記表示画面が前記開口部中に位置する場所まで移動したときに、前記ケースの止め部に当接して移動を停止させるストッパを有することを特徴とする。
【００１３】
請求項６記載の発明は、請求項５記載の計器組付構造において、前記表示器は、前記ストッパによる移動停止時に、前記ケースに設けられた係合溝に係合される係合爪を有することを特徴とする。
【００１４】
請求項７記載の発明は、請求項１から６のいずれか１項に記載の計器組付構造において、前記ケースには、前記開口部の端面に沿って案内壁が立設されており、前記目盛板は、前記ケースへの組み付け時、まず前記指針の前記第５指針部が前記目盛板の開口部内に入るように、前記ケースの開口部の端面上に置かれ、次いで前記案内壁に案内されて前記端面上をスライドして移動され、前記指針の前記第３指針部および第５指針部の間に位置するように、前記開口部の端面で支持されることを特徴とする。
【００１５】
請求項８記載の発明は、請求項７記載の計器組付構造において、前記ケースには、前記目盛板が、組み付け時、前記指針の前記第５指針部が前記目盛板の開口部内に入るように前記ケースの開口部の端面上に置かれる際の位置決めを行う位置決め部が設けられていることを特徴とする。
【発明の効果】
【００１６】
請求項１記載の発明によれば、表示器と、目盛板と、表示器および目盛板を支持するケースを備える計器における各部品の組付性が向上する。
【００１７】
請求項２記載の発明によれば、表示器と、目盛板と、表示器および目盛板を支持するケースを備える計器における各部品の組付性が向上する。また、指針は従来のように別部品とすることなく、たとえばＳ字状の一体部品で構成することができる。さらに、指針がＳ字のような特殊な形状になっていても、表示器や目盛板の組付けの際、Ｓ字状の指針の干渉がなく、容易に組み付けることができる。
【００１８】
請求項３乃至６記載の発明によれば、表示器の組付け作業が容易になる。
【００１９】
請求項７および８記載の発明によれば、目盛板の組付け作業が容易になる。
【発明を実施するための最良の形態】
【００２０】
以下、本発明の計器組付構造について、図面に基づいて説明する。図１は、本発明の最良の形態に係る計器組付構造を含む車両用コンビネーションメータを示す分解斜視図、図２は指針の斜視図、図３は目盛板アッシーの分解斜視図、図４はＬＣＤアッシーの分解斜視図、図５はコンビネーションメータの正面図、図６は図５におけるＩ−Ｉ線部分断面図である。
【００２１】
車両用コンビネーションメータ１は、車両の走行速度を示すスピードメータ２と、車両のエンジン回転数を示すタコメータ３とを有する２眼メータとして構成されている。車両用コンビネーションメータ１は、主な構成部品として、表ガラス４と、見返し板５と、指針６および７と、目盛板アッシー８および９と、ＬＣＤ（液晶ディスプレイ）アッシー１０および１１と、ケース１２と、メインＰＣＢ（印刷回路基板）アッシー１３と、カバー１４と、メータリング１５および１６と、ターンハウジング１７とを含む。
【００２２】
ケース１２は、ほぼ円形の開口部１２ａ，１２ｂと、それぞれ、開口部１２ａ，１２ｂ内に開口方向に対してほぼ直交する方向から連通するように形成されたほぼ四角形の挿入口１２ｃ，１２ｄ（図１では示されていないが、図７参照）とを有する。
【００２３】
スピードメータ２は、指針６と、目盛板アッシー８と、ＬＣＤアッシー１０と、メータリング１５を含む。タコメータ３は、指針７と、目盛板アッシー９と、ＬＣＤアッシー１１と、メータリング１６を含む。なお、スピードメータ２とタコメータ３は、同一構成を有するので、下文では説明を簡単にするために、スピードメータ２の構成の説明を行い、タコメータ３の構成の説明は省略する。
【００２４】
指針６は、ムーブメント１８の回転軸１８ａに取り付けられる基部６１と、基部６１より延出する指針部６２と、基部６１から指針部６２と反対の方向に延出したほぼＴ字形のバランス部６３とからなる。指針部６２は、基部６１より回転軸１５ａとほぼ直交する方向へ延出する第１指針部６２ａ、第１指針部６２ａより回転軸１５ａとほぼ平行な方向に延出する第２指針部６２ｂ、第２指針部６２ｂより第１指針部６２ａと逆方向に延出する第３指針部６２ｃ、第３指針部６２ｃより第２指針部６２ｂとほぼ同一方向に延出する第４指針部６２ｄ、および第４指針部６２ｄより第１指針部６２ａとほぼ同一方向に延出し、目盛板８４の目盛を指示する第５指針部６２ｅを有する。つまり、指針６２は、ほぼＳ字形に形成されている。
【００２５】
目盛板アッシー８は、ホルダー８１と、ホルダー８１に保持される透明な導光板としてのプリズム８２と、プリズム８２に透明な接着テープ８３で接合された目盛板８４と、リング部材８５とからなる。ホルダー８１は、白色の合成樹脂で作られ、光反射板と保持部材の役目を兼ねている。ホルダー８１には、中央にほぼ円形の開口部８１ａが形成されると共に、その両側の側部に位置決め用の切欠凹部８１ｂが形成されている。プリズム８２は、開口部８１ａと同一径のほぼ円形の開口部８２ａ１が中央に設けられた正面視ドーナツ状に形成された光拡散部８２ａと、光拡散部８２ａの外周からほぼ直角に延設された導光部８２ｂとを有する。目盛板８４は、黒色中心のデザインとなっており、開口部８１ａと同一径のほぼ円形の開口部８４ａが中央に設けられた正面視ほぼドーナツ状に形成され、その外周に沿って速度目盛を表示するためのメータ意匠８４ｂが形成されている。
【００２６】
リング部材８５は、黒色の合成樹脂製であり、その表側に、フランジ８５ａが形成され、その裏側に、複数（たとえば、４個）の爪部８５ｂ（図３および図６の拡大図参照）が等間隔に形成されている。リング部材８５は、目盛板８４の開口部８４ａ、プリズム８２の開口部８２ａ１およびホルダー８１の開口部８１ａにはめ込まれ、フランジ８５ａが目盛板８４の表面に接すると共に、爪部８５ｂがホルダー８１の開口部８１ａの内周裏側に係合される。
【００２７】
ＬＣＤアッシー１０は、ホルダー１０１と、それぞれホルダー１０１内に配置される、ＬＣＤ  ＰＣＢアッシー１０２、ＬＣＤプリズム１０３、カラーフィルタ１０４、プリズムシート１０５およびＬＣＤ１０６と、ＬＣＤ１０６上に被せられてホルダー１０１に係止されることによりＬＣＤアッシー１０を完成させるベゼル１０７とからなる。このＬＣＤアッシー１０は、請求項における表示器に相当する。
【００２８】
ホルダー１０１は、白色の合成樹脂で作られており、光反射板と保持部材の役目を兼ねている。また、ホルダー１０１には、その両側の側壁の下部から板状にそれぞれ突出する２個の係合片１０１ａが一体形成されている。さらに、ホルダー１０１には、完成後のＬＣＤアッシー１０におけるベゼル１０７の表面よりわずかに突出するように一体形成された、棒状の２個のストッパ１０１ｂと弾性を有する２個の係合爪１０１ｃが設けられている。ＬＣＤ  ＰＣＢアッシー１０２には、ＬＣＤプリズム１０３に光を入射するＬＥＤ（発光ダイオード）１０２ａが実装されている。ベゼル１０７は、黒色の合成樹脂製であり、ＬＣＤ１０６の表示画面を取り囲む内周を有する開口部１０７ａが形成されている。
【００２９】
ＬＣＤアッシー１０は、目盛板アッシー８の背面に配置され、ＬＣＤ１０６の表示画面が目盛板アッシー８の目盛板８４の開口部８４ａの内周で取り囲まれ、開口部８４ａを通して正面から視認可能となっている。このＬＣＤ１０６の表示画面には、図５に示すように、たとえば「ＯＩＬ  ＬＥＶＥＬ  ＬＯＷ」などのウォーニングが表示される。
【００３０】
図６に示すように、スピードメータ２は、さらに、ＬＣＤ１０６の背面側のメインＰＣＢアッシー１３上に配置されたステッパモータ等からなるムーブメント１８を含む。ムーブメント１８の回転軸１８ａには、指針６の基部６１が打ち込まれて固定されている。ＬＣＤ１０６を含むＬＣＤアッシー１０は、指針６の第１指針部６２ａと第３指針部６２ｃの間に位置するように配置されている。目盛板８４を含む目盛板アッシー８は、指針６の第３指針部６２ｃと第５指針部６２ｅの間に位置するように配置されている。
【００３１】
次に、上述のスピードメータ２の各部品の組み付け方法について説明する。
【００３２】
まず、図７に示すように、ケース１２の背面側にメインＰＣＢアッシー１３を固定した後、メインＰＣＢアッシー１３に配置され、ケース１２の開口部１２ａのほぼ中心に位置しているムーブメント１８の回転軸１８ａに、開口部１２ａの上方から指針６の基部６１を打ち込み固定する。指針６の打ち込み高さは、図８に示すように、指針６の第３指針部６２ｃの位置がケース１２の開口部１２ａの前面側端面とほぼ合うように調整される。
【００３３】
次に、図９に示すように、ＬＣＤアッシー１０をケース１２の側部に設けた挿入口１２ｃへ横方向から挿入し、固定する。挿入口１２ｃは、ケース１２の外壁側から、開口部１２ａの開口方向に対してほぼ直交する方向から開口部１２ａ内に連通するように形成されている。
【００３４】
図１０は、ＬＣＤアッシー１０のケース１２への固定の仕方をケース１２の裏面側から示す図である。図１０（Ａ）に示すように、ケース１２には、ＬＣＤアッシー１０を挿入できる幅と高さを有するほぼ四角形の挿入口１２ｃが形成されている。挿入口１２ｃを構成する内壁における両側の側壁には、この側壁より挿入口１２ｃの内側に突出する棚状に一体形成された係合部１２ｄが設けられている。また、挿入口１２ｃの上壁（図８（Ａ）では、下に見える壁）には、上壁と同一平面をなす表面を有すると共に、開口部１２ａの内壁から突出して円弧状の外周を有する支持片１２ｅが一体形成されている。また、挿入口１２ｃの上壁には、上壁より下がる段部になるように形成された止め部１２ｆと、係合溝１２ｇが形成されている。さらに、挿入口１２ｃの両側の側壁に近い場所の上壁には、ケース１２の表側まで貫通する２個のネジ穴１２ｈが形成されている。
【００３５】
そこで、図１０（Ｂ）に示すように、ＬＣＤアッシー１０を挿入口１２ｃへ横方向から挿入すると、ＬＣＤアッシー１０は、ベゼル１０７の表面が挿入口１２ｃの上壁および支持片１２ｅの上をスライドしかつホルダー１０１の係合片１０１ａが係合部１２ｄに係合しながら、開口部１２ａ中へ移動する。そして、ＬＣＤ１０６の表示画面が開口部１２ａのほぼ中央に位置する場所まで移動すると、ストッパ１０１ｂが止め部１２ｆに当接してＬＣＤアッシー１０の移動が停止すると共に、係合爪１０１ｃが係合溝１２ｇに係合する。
【００３６】
その後、ＬＣＤアッシー１０は、図９に示すように、この位置でケース１２の表側よりネジ穴１２ｈにねじ込まれるネジ１９によって、ケース１２に固定される。次に、ＬＣＤ  ＰＣＢアッシー１２のコネクタ１０２ａとＬＣＤ１０６のコネクタ１０６ａを、それぞれ、メインＰＣＢアッシー１３に実装されたコネクタ１３ａおよび１３ｂにはめ込むと共に、ＬＣＤ１０６のＦＰＣ（フレキシブルプリント基板）１０６ｂをメインＰＣＢアッシー１３に実装されたコネクタ１３ｃにロックする。このようにして固定されたＬＣＤアッシー１０は、ＬＣＤ１０６の表示画面がケース１２の開口部１２ａのほぼ中央に位置すると共に、挿入方向の先端側が指針６の第１指針部６２ａと第３指針部６２ｃの間に位置するように配置されたことになる。
【００３７】
次に、図１１に示すように、目盛板アッシー８を開口部１２ａの上方からケース１２に組み付ける。この目盛板アッシー８の組み付けの際に役立つように、ケース１２の開口部１２ａの周りには、開口部１２ａの端面に沿って案内壁１２ａ１が形成されており、さらに、案内壁１２ａ１から突出する位置決め部１２ａ２が形成されている。位置決め部１２ａ２は、開口部１２ａを介して対向するように２個形成されており、この２個の位置決め部を結ぶ線は、開口部１２ａの中心から内周側にずれた位置になっている。
【００３８】
そこで、指針６の第５指針部６２ｅが、図１１に示すように真上に位置している状態で、開口部１２ａの上方から、図１２に示すようにホルダー８１の切欠凹部８１ｂを位置決め部１２ａ２に合わせて、目盛板アッシー８を開口部１２ａの端面上に載置する。このとき、プリズム８２の導光部８２ｂは、ＬＣＤアッシー１０を固定した後空いている開口部１２ａ部分に入り、また、ホルダー８１、プリズム８２および目盛板８４の開口部８１ａ、８２ａおよび８４ａの中に指針６の第５指針部６２ｅが位置することにより、ＬＣＤアッシー１０も指針６も、目盛板アッシー８の組み付けのじゃまにならない。
【００３９】
次に、図１３に示すように、開口部１２ａの端面に載置した目盛板アッシー８を、案内壁１２ａ１に沿って横方向（矢印方向）にスライドさせる。このとき、ホルダー８１の上面が位置決め部１２ａ２と係合するので、目盛板アッシー８は開口部１２ａの端面から浮くことなく、スライド移動を容易に行うことができる。そして、案内壁１２ａ１の円弧状部分に目盛板アッシー８の移動方向の先端部分が当たって、目盛板アッシー８の移動が停止する。その後、目盛板アッシー８は、この位置で、ケース１２の表側よりネジ穴にねじ込まれるネジ２０によってケース１２に固定される。
【００４０】
このようにして固定された目盛板アッシー８は、目盛板８４が指針６の第３指針部６２ｃと第５指針部６２ｅの間に位置するように配置されたことになる。すなわち、この位置で、指針６の第５指針部６２ｅの先端が、目盛板８４のメータ意匠８４ｂの目盛を指示する。また、このような目盛板アッシー８の配置により、目盛板８、プリズム８２およびホルダー８１の各開口部８４ａ、８２ａ１、８１ａを介して、ＬＣＤアッシー１０におけるＬＣＤ１０６の表示画面が視認可能となる。
【００４１】
次に、図１４に示すように、ターンハウジング１７を、ケース１２に形成された取付孔１２ｉに差し込み、取付孔１２ｉ内にわずかにはみ出すようにケース１２に一体形成されている係合爪１２ｊにロックする。このターンハウジング１７は、組付け後開口部１２ａの端面より突出するので、目盛板アッシー８の組付けの際にじゃまにならないように、目盛板アッシー８の組付け後に組み付けるものである。
【００４２】
なお、ターンハウジング１７の組付けに限らず、目盛板アッシー８の組付け作業に干渉するような箇所は、ターンハウジング１７と同様にケース１２とは別体としておき、目盛板アッシー８の組付け後に、ケース１２の上方から対応する取付孔に挿入、固定する構造とする。
【００４３】
以上、説明したように、本発明の計器組付構造によれば、表示器と、目盛板と、表示器および目盛板を支持するケースを備える計器における各部品の組付性が向上する。また、指針は従来のように別部品とすることなく、たとえばＳ字状の一体部品で構成することができる。さらに、指針がＳ字のような特殊な形状になっていても、表示器や目盛板の組付けの際、Ｓ字状の指針の干渉がなく、容易に組み付けることができる。
【００４４】
また、ムーブメント１８がＬＣＤ１０６の背面側にあっても、従来のように目盛板にスリットを設けることなく、指針６の第５指針部６２ｅが、ＬＣＤ１０６より正面側に配置された目盛板８４上のメータ意匠８４ｂの目盛を指示することができ、意匠性の向上を図ることができる。
【００４５】
また、スピードメータ２を正面よりやや斜め方向から見た場合に、もし黒色のリング部材８５がなければ、ＬＣＤアッシー１０のベゼル１０７の黒色、目盛板８４の黒色および見返し板５の黒色の同系色の中に目盛板アッシー８におけるホルダー８１の開口部８１ａの内壁の白色部分が見えてしまい、見栄えが悪くなるが、黒色のリング部材８５の存在により上述の白色部分が隠されているので、ベゼル１０７、目盛板８４および見返し板５が共に同系色（黒色）のみになることで、見栄えが改善される。
【００４６】
以上の通り、本発明の実施の形態について説明したが、本発明はこれに限らず、種々の変形、応用が可能である。
【００４７】
たとえば、上述した最良の形態では、目盛板８４の開口部８４ａは、ＬＣＤ１０６の全体を取り囲んでいるが、一部を取り囲むような構成であってもよい。
【図面の簡単な説明】
【００４８】
【図１】本発明の最良の形態に係る計器組付構造を含む車両用コンビネーションメータを示す分解斜視図である。
【図２】図１の車両用コンビネーションメータにおける指針の斜視図である。
【図３】図１の車両用コンビネーションメータにおける目盛板アッシーの分解斜視図である。
【図４】図１の車両用コンビネーションメータにおけるＬＣＤアッシーの分解斜視図である。
【図５】図１の車両用コンビネーションメータの正面図である。
【図６】図５におけるＩ−Ｉ線部分断面図および該断面図の部分拡大図である。
【図７】スピードメータの各部品の組み付け作業を説明する図である。
【図８】スピードメータの各部品の組み付け作業を説明する図である。
【図９】スピードメータの各部品の組み付け作業を説明する図である。
【図１０】図９に示す組み付け作業の説明を明快にするために、ＬＣＤアッシーのケースへの組付けをケースの裏面側から示す図であり、（Ａ）は組付け前、（Ｂ）は組付け後を示す図である。
【図１１】スピードメータの各部品の組み付け作業を説明する図である。
【図１２】スピードメータの各部品の組み付け作業を説明する図である。
【図１３】スピードメータの各部品の組み付け作業を説明する図である。
【図１４】スピードメータの各部品の組み付け作業を説明する図である。
【図１５】従来の計器構造の一例を示し、（Ａ）は断面図、（Ｂ）は一部省略正面図である。
【図１６】従来の計器構造の他の例を示し、（Ａ）は正面図、（Ｂ）は正面図におけるＩＩＩ−ＩＩＩ線断面図である。
【符号の説明】
【００４９】
１  コンビネーションメータ
２  スピードメータ
３  タコメータ
６  指針
６１  基部
６２  指針部
６２ａ  第１指針部
６２ｂ  第２指針部
６２ｃ  第３指針部
６２ｄ  第４指針部
６２ｅ  第５指針部
８  目盛板アッシー
８１  ホルダー
８１ｂ  切欠凹部
８４  目盛板
８４ａ  開口部
８４ｂ  メータ意匠
１０  ＬＣＤアッシー（表示器）
１０１  ホルダー
１０１ａ  係合片
１０１ｂ  ストッパ
１０１ｃ  係合爪
１０６  ＬＣＤ
１２  ケース
１２ａ  開口部
１２ａ１  案内壁
１２ａ２  位置決め部
１２ｃ  挿入口
１２ｄ  係合部
１２ｅ  支持片
１２ｆ  止め部
１２ｇ  係合溝
１３  メインＰＣＢアッシー
１８  ムーブメント
１８ａ  回転軸
【図１】
2006098160.tif 000003
【図２】
2006098160.tif 000004
【図３】
2006098160.tif 000005
【図４】
2006098160.tif 000006
【図５】
2006098160.tif 000007
【図６】
2006098160.tif 000008
【図７】
2006098160.tif 000009
【図８】
2006098160.tif 000010
【図９】
2006098160.tif 000011
【図１０】
2006098160.tif 000012
【図１１】
2006098160.tif 000013
【図１２】
2006098160.tif 000014
【図１３】
2006098160.tif 000015
【図１４】
2006098160.tif 000016
【図１５】
2006098160.tif 000017
【図１６】
2006098160.tif 000018